(57)【特許請求の範囲】
【請求項１】
フロントフォークの下端部に前輪支持アームの一端部を連結し、この前輪支持アームの他端部に前輪用車軸を取付けるようにしたボトムリンク式前輪懸架装置を備える自動二輪車において、
上記前輪用車軸に直交するブラケットを車軸にスイング可能に取付け、
上記ブラケットの先端側をリンクを介して上記フロントフォークの途中に連結し、
上記ブラケットにフロントフェンダを取付けることで、このフロントフェンダを上記ブラケットで支え、
上記ブラケットに、フロントディスクブレーキのキャリパを取付けたことを特徴とした自動二輪車のフロントフェンダ取付構造。
【請求項２】
前記ブラケットは、前記車軸に取付けた第１ブラケットと、この第１ブラケットの先端に取付けた第２ブラケットとからなり、
前記第２ブラケットは、その先端側に前記リンクを取付けるとともに、前記キャリパを取付け、
前記先端側からさらに延びた延長部で前記フロントフェンダの取付部を支えたことを特徴とした請求項１記載の自動二輪車のフロントフェンダ取付構造。
【発明の詳細な説明】
【０００１】
【発明の属する技術分野】
本発明は自動二輪車のフロントフェンダ取付構造に関する。
【０００２】
【従来の技術】
ボトムリンク式前輪懸架装置を備える自動二輪車の、フロントフェンダ取付構造としては、例えば、実公昭６０−４０３９６号公報「自動二輪車の前輪懸架装置」がある。上記従来の技術は、その公報の第１図によれば、フロントフォーク７（符号は公報に記載されたものを引用した。以下同じ。）の下部に前後２本のアーム１２，１３の上部を連結し、これらのアーム１２，１３の下部に前輪支持部材１６の後部を連結し、前輪支持部材１６の前部に前輪車軸２０を取付け、前輪車軸２０に前輪１１を取付けるというものである。フロントフォーク７の途中にフロントフェンダ（符号なし）を取付ける。
【０００３】
【発明が解決しようとする課題】
上記従来の技術は、フロントフォーク７に固定されたフロントフェンダに対し、前輪１１が昇降するものである。フロントフェンダと前輪１１との間の隙間については、前輪１１の昇降ストロークを考慮して、設定することにならざるを得ない。
隙間を小さくするには、フロントフェンダを前輪車軸２０に取付けることが考えられる。しかし、単に前輪車軸２０にフロントフェンダを取付けるのでは、前輪支持部材１６のスイングに伴って、フロントフェンダが前後方向に大きく変位することになるので、不都合である。
また、アーム１２，１３や前輪支持部材１６などに、専用の部材を介してフロントフェンダを取付けることも考えられるが、取付け構造が複雑になる。
【０００４】
そこで本発明の目的は、ボトムリンク式前輪懸架装置を備える自動二輪車において、簡素な構成によって、フロントフェンダと前輪との間の隙間を、前輪の昇降ストロークを考慮することなく、自由に設定することができる技術を提供することにある。
【０００５】
【課題を解決するための手段】
上記目的を達成するために請求項１は、フロントフォークの下端部に前輪支持アームの一端部を連結し、この前輪支持アームの他端部に前輪用車軸を取付けるようにしたボトムリンク式前輪懸架装置を備える自動二輪車において、上記前輪用車軸に直交するブラケットを車軸にスイング可能に取付け、上記ブラケットの先端側をリンクを介して上記フロントフォークの途中に連結し、上記ブラケットにフロントフェンダを取付けることで、このフロントフェンダを上記ブラケットで支え、上記ブラケットに、フロントディスクブレーキのキャリパを取付けたことを特徴とする。
【０００６】
フロントフォークと前輪支持アームとブラケットとリンクとの組合せによって、側面視四辺形リンク機構をなす。四辺形リンク機構であるから、前輪支持アームが上下スイングすることで車軸が旋回しても、ブラケットの旋回はかなり抑制される。旋回が抑制されたブラケットにてフロントフェンダを支えるので、車軸の旋回に伴うフロントフェンダの前後方向の変位は抑制される。さらに、ブラケットにフロントフェンダを取付けたので、フロントフェンダと前輪との間の隙間は、常に一定である。
【０００７】
加えて、ブラケットに、フロントディスクブレーキのキャリパを取付けた。
キャリパを取付けるブラケットが、フロントフェンダを支えるブラケットを兼ねる。取付部材が少なくてすむ。
【０００８】
請求項２は、前記ブラケットは、前記車軸に取付けた第１ブラケットと、この第１ブラケットの先端に取付けた第２ブラケットとからなり、前記第２ブラケットは、その先端側に前記リンクを取付けるとともに、前記キャリパを取付け、前記先端側からさらに延びた延長部で前記フロントフェンダの取付部を支えたことを特徴とする。
【０００９】
【発明の実施の形態】
本発明の実施の形態を添付図面に基づいて以下に説明する。なお、「前」、「後」、「左」、「右」、「上」、「下」は運転者から見た方向に従う。また、図面は符号の向きに見るものとする。
図１は本発明に係る自動二輪車の前半部の側面図である。
自動二輪車１は、車体フレーム２のヘッドパイプ３に縦向きのステアリングステム４を左右回転可能に取付け、このステアリングステム４の上部に後述するトップブリッジ１１を取付け、このトップブリッジ１１にバーハンドル５を取付け、さらに、ステアリングステム４にボトムリンク式の前輪懸架装置１０を取付けたものである。
自動二輪車１のフロントブレーキ５０は、前輪３２の側部に取付けたブレーキディスク５１と、ブレーキディスク５１を制動制御するためのキャリパ５６とからなる、液圧式フロントディスクブレーキである。６１はヘッドランプである。
【００１０】
図２は本発明に係る前輪懸架装置の側面図である。
前輪懸架装置１０は、ステアリングステム４の上部に取付けたトップブリッジ１１と、ステアリングステム４の下部に取付けたボトムブリッジ１２と、これらのトップ・ボトムブリッジ１１，１２に上端部を取付けたフロントフォーク１３と、前下方へ延びたフロントフォーク１３の下端部に前端部を上下スイング可能に連結した前輪支持アーム１４と、後下方へ延びた前輪支持アーム１４の途中に下端部を前後スイング可能に連結したロッド１５と、上方へ延びたロッド１５の上端部をロッドハンガ１６を介して連結するべく、ボトムブリッジ１２から前方へ上下スイング可能に延びたアーム１７と、アーム１７に下端部を連結した緩衝器１８と、上方へ延びた緩衝器１８の上端部を連結するべく、フロントフォーク１３の上部に取付けたアッパブラケット１９とからなる、トレーリングアーム方式の懸架装置である。
トレーリングアーム方式なので、前輪支持アーム１４の後端部に前輪用車軸３１を取付け、この車軸３１に前輪３２を回転可能に取付けることになる。図中、２１〜２５は連結ピンである。
【００１１】
上記前輪懸架装置１０は、（１）側面視で、ステアリングステム４の前方にフロントフォーク１３を配置するとともに、ステアリングステム４の傾斜角よりもフロントフォーク１３の傾斜角を緩く設定したこと、及び、（２）側面視で、フロントフォーク１３の中心Ｏ1に緩衝器１８の中心Ｏ2をほぼ一致させたことを特徴とする。
緩衝器１８は、油圧式ダンパ４１とダンパ４１の周囲に巻いた懸架ばね４２とからなる、ばね外装式緩衝器である。この図２から明らかなように、緩衝器１８の最大径である懸架ばね４２の外径は、フロントフォーク１３の径と概ね等しい。
【００１２】
車軸３１は、この車軸３１に直交するブラケット５２を上下スイング可能に取付けたものである。ブラケット５２は、車軸３１に取付ける第１ブラケット５３と、第１ブラケット５３の先端に取付ける第２ブラケット５４とからなる。
第２ブラケット５４は、その先端側５４ａをリンク、すなわち、トルク伝達リンク５５を介して、フロントフォーク１３の長手途中の中間部１３ａに連結するとともに、キャリパ５６を取付ける部材である。このため、ブラケット５２は、基端側を車軸３１に取付けるとともに、先端側をトルク伝達リンク５５を介してフロントフォーク１３の中間部１３ａに連結することになる。
【００１３】
トルク伝達リンク５５は、その両端を連結ピン５７，５８にて上下スイング可能に連結したリンク部材、例えばブラケット５２の回転止めをなす回転止めリンクである。
フロントフォーク１３と前輪支持アーム１４とブラケット５２とトルク伝達リンク５５との組合せ構造は、側面視四辺形リンク機構をなす。
また、第２ブラケット５４は、先端側５４ａから更に延びた延長部５４ｂに、フロントフェンダ６２の前後方向略中央の取付部６２ａを支える部材である。フロントフェンダ６２は、前輪３２の上部を囲うカバーである。
【００１４】
図３は本発明に係る前輪懸架装置の分解側面図であり、前輪懸架装置１０における各部材の連結関係を示す。
この図は、特に、ボトムブリッジ１２の下端に連結部１２ａを設け、この連結部１２ａにアーム１７（「クランク」とも言う。）の後端連結部１７ａを上下スイング可能に連結し、アーム１７の前端連結部１７ｂに緩衝器１８の下端部１８ａを上下スイング可能に連結し、アーム１７の中間連結部１７ｃにロッドハンガ１６の上部連結部１６ｂを上下スイング可能に連結したことを示す。中間連結部１７ｃは、アーム１７の長手方向途中に且つ前端連結部１７ｂより上位に設けたものである。
【００１５】
図４は本発明に係る前輪懸架装置の斜視図であり、前輪懸架装置１０の構成部材であるフロントフォーク１３のパイプ（フロントフォークパイプ）１３Ａ、前輪支持アーム１４、ロッド１５及び緩衝器１８が、左右１個ずつであることを示す。トップ・ボトムブリッジ１１，１２は、左右の緩衝器１８，１８に干渉しないように、平面視略コ字形を呈する。また、第１・第２ブラケット５３，５４及びトルク伝達リンク５５も左右１個ずつ備える。左右のトルク伝達リンク５５，５５は、ロッド１５，１５に干渉しないように、車体中心側へ若干湾曲したものである。なお、トルク伝達リンク５５，５５は、ロッド１５，１５に干渉しなければ、ストレート構造としてもよい。
【００１６】
図５は本発明に係る前輪懸架装置の要部を断面した正面図であり、車体中心ＣＬに対し左右対称形の前輪懸架装置１０であることを示す。
ロッドハンガ１６は、各ロッド１５，１５の上端部をねじ込む左右のロッド取付部１６ａ，１６ａと、アーム１７に連結する中央の上部連結部１６ｂとを一体に形成した、正面視略逆Ｙ字状の部材である。
アーム１７は、左右の緩衝器１８，１８の下端部１８ａ，１８ａを連結した１個の部材である。
アッパブラケット１９は、トップブリッジ１１の下方で左右のフロントフォークパイプ１３Ａ，１３Ａ間に掛け渡した部材である。アッパブラケット１９に、ラバー等の上クッション部材４３，４３並びに下クッション部材４４，４４を介して、緩衝器１８，１８の上端部であるダンパロッド４５，４５を平面視全方位にスイング可能に吊下げることにより、緩衝器１８，１８をトップブリッジ１１側に連結することができる。すなわち、緩衝器１８，１８は、トップブリッジ１１に直接連結するのではなく、アッパブラケット１９を介してトップブリッジ１１に連結したものである。なお、緩衝器１８，１８を、トップブリッジ１１に直接連結してもよい。
【００１７】
図６は本発明に係る車軸、前輪、フロントブレーキ、ブラケット及びフロントフェンダ廻りの正面断面図である。
この図は、車軸３１に前輪３２のホイール３２ａを回転自在に取付け、ホイール３２ａの左右両側にフロントブレーキ５０，５０及びブラケット５２，５２を配置したことを示す。
【００１８】
具体的には、ホイール３２ａのハブ３２ｂに左右のブレーキディスク５１，５１をボルト７１…（…は複数個を示す。以下同様。）にて取付け、車軸３１に左右の第１ブラケット５３，５３の基部５３ａ，５３ａを回転可能に取付け、これら第１ブラケット５３，５３の先端部５３ｂ，５３ｂに左右の第２ブラケット５４，５４の基部５４ｃ，５４ｃをボルト７２…にて取付け、これら第２ブラケット５４，５４の途中に想像線にて示す左右のキャリパ５６，５６を取付けた。
フロントフェンダ６２は、樹脂材料等からなる正面視略逆Ｕ字断面状カバーであり、左右の取付部６２ａ，６２ａを左右の第２ブラケット５４，５４の延長部５４ｂ，５４ｂに、ボルト７３…にて取付けたものである。
【００１９】
次に、上記構成の前輪懸架装置１０及びフロントフェンダ取付構造の作用を、図７〜図９に基づき説明する。
図７は本発明に係る前輪懸架装置及びフロントフェンダ取付構造の作用図（その１）であり、前輪３２に下向き荷重が作用していないときの前輪懸架装置１０の状態を示す。
前輪３２は下限レベルにあり、このときのアーム１７は、図に示す下限位置にある。この結果、緩衝器１８は最も伸張した状態である。このときの前輪支持アーム１４、車軸３１、前輪３２、ブラケット５２、トルク伝達リンク５５及びフロントフェンダ６２は、図に示す下限位置にある。
【００２０】
図８は本発明に係る前輪懸架装置及びフロントフェンダ取付構造の作用図（その２）であり、前輪３２が中間レベルにあるときの前輪懸架装置１０の状態、すなわち、緩衝器１８が図７の状態からある程度収縮したことを示す。
車体フレーム２に自動二輪車１の自重程度の下向き軽荷重が作用すると、この軽荷重は、ヘッドパイプ３→ステアリングステム４→トップ・ボトムブリッジ１１，１２→フロントフォーク１３→前輪支持アーム１４→車軸３１→前輪３２の経路で、路面Ｆに伝わる。これに対する路面Ｆからの反力は、前輪３２→車軸３１→ロッド１５→ロッドハンガ１６→アーム１７の経路で、緩衝器１８に伝わる。
この結果、前輪支持アーム１４が上記図７の状態から若干上方へスイングし、ロッド１５とロッドハンガ１６が上昇することによって、アーム１７の前端部が上方へスイングするので、緩衝器１８は軽荷重に応じたストロークだけ収縮する。
このときの前輪支持アーム１４、車軸３１、前輪３２、ブラケット５２、トルク伝達リンク５５及びフロントフェンダ６２は、図に示す中間位置にある。
【００２１】
図９は本発明に係る前輪懸架装置の作用図及びフロントフェンダ取付構造（その３）であり、前輪３２が上限レベルにあるときの前輪懸架装置１０の状態、すなわち、緩衝器１８が最も収縮した状態を示す。
車体フレーム２に下向き重荷重が作用すると、この重荷重は上記図８に示す経路と同じ経路で、路面Ｆに伝わる。これに対する路面Ｆからの反力は、前輪３２から緩衝器１８へ伝わる。この結果、前輪支持アーム１４の後部がさらに上方へスイングし、ロッド１５とロッドハンガ１６が上昇することによって、アーム１７の前端部が実線にて示す上限位置まで上方へスイングするので、緩衝器１８は重荷重に応じたストロークだけ収縮する。
このときの前輪支持アーム１４、車軸３１、前輪３２、ブラケット５２、トルク伝達リンク５５及びフロントフェンダ６２は、図に示す上限位置にある。
【００２２】
以上の説明から明らかなように、フロントフォーク１３と前輪支持アーム１４とブラケット５２とトルク伝達リンク５５との組合せ構造は、側面視四辺形リンク機構をなす。四辺形リンク機構であるから、この図９において、前輪支持アーム１４が想像線にて示す位置から実線にて示す位置まで、反時計回り方向にスイングしたとき、トルク伝達リンク５５は想像線にて示す位置から実線にて示す位置まで、反時計回り方向にスイングする。この結果、第２ブラケット５４は想像線にて示す位置から実線にて示す位置まで、変位することになる。この図に明示されるように、車軸３１を基点としたブラケット５２の方向は、常に概ね同一である。
【００２３】
従って、前輪支持アーム１４が上下スイングすることで車軸３１が旋回しても、ブラケット５２の旋回はかなり抑制される。旋回が抑制されたブラケット５２にてフロントフェンダ６２を支えるので、車軸３１の旋回に伴うフロントフェンダ６２の前後方向の変位は抑制される。さらに、ブラケット５２にフロントフェンダ６２を取付けたので、フロントフェンダ６２と前輪３２との間の隙間は、常に一定である。
【００２４】
なお、上記本発明の実施の形態において、（１）前輪懸架装置１０はボトムリンク式の装置であればよく、上記トレーリングアーム方式の構成の他に、リーディングアーム方式の構成であってもよい。リーディングアーム方式にした場合には、フロントフォーク１３の下端部に、前輪支持アーム１４を前後逆向きに取付ければよい。
（２）車体中心ＣＬに対し、前輪懸架装置１０を左右対称形にすることは任意である。
（３）緩衝器１８の種類や寸法は任意である。また、緩衝器１８は、左右２個に限定するものではなく、１個であってもよい。その場合には、１個の緩衝器１８を車体中央に配置することが好ましい。また、緩衝器１８の懸架ばね４２の外径を、フロントフォーク１３の径に等しくするか否かについては、任意である。
【００２５】
（４）ロッドハンガ１６は、各ロッド１５，１５を取付けるとともに、アーム１７に上下スイング可能に連結するものであればよく、正面視略逆Ｙ字状の部材に限定するものではない。また、ロッドハンガ１６に対する各ロッド１５，１５の取付け構造は、任意である。ねじ込みの他に、例えば、溶接やカシメにて取付けたり、ロッドハンガ１６に一体に形成してもよい。
（５）ロッドハンガ１６を設けずに、左右のロッド１５，１５をアーム１７に直接連結してもよい。
（６）フロントブレーキ５０は、前輪３２の左側又は右側のいずれか一方にのみ、有するものであってもよい。
（７）ブラケット５２は、第１ブラケット５３と第２ブラケット５４とを、一体に形成した構造であってもよい。
【００２６】
【発明の効果】
本発明は上記構成により次の効果を発揮する。
請求項１は、前輪用車軸に直交するブラケットを車軸にスイング可能に取付け、ブラケットの先端側をリンクを介してフロントフォークの途中に連結したので、フロントフォークと前輪支持アームとブラケットとリンクとの組合せによって、側面視四辺形リンク機構をなすことができる。四辺形リンク機構にしたので、前輪支持アームが上下スイングすることで車軸が旋回しても、ブラケットの旋回をかなり抑制することができる。旋回が抑制されたブラケットにてフロントフェンダを支えるので、車軸の旋回に伴うフロントフェンダの前後方向の変位を抑制することができ、フロントフェンダを常に最適の使用状態で、自動二輪車を走行させることができる。
さらには、ブラケットにてフロントフェンダを支えたので、車軸からフロントフェンダまでの距離を常に一定にすることができる。この結果、フロントフェンダと前輪との間の隙間を、常に一定にすることができる。従って、簡素な構成で、隙間を所望の寸法に自由に設定することが、極めて容易である。
【００２７】
また、請求項１は、ブラケットが、フロントディスクブレーキのキャリパを取付ける部材で構成したので、キャリパを取付けるブラケットが、フロントフェンダを支えるブラケットを兼ねることができる。従って、フロントフェンダを支えるための別部材が不要であり、支持部材の部品数がより一層少なくてすむとともに、支持構造を簡素な構成にすることができる。
さらに、請求項２は、ブラケットを、車軸に取付けた第１ブラケットと、この第１ブラケットの先端に取付けた第２ブラケットとから構成した。
そして、第２ブラケットの先端側にリンクを取付けるとともに、第２ブラケットにキャリパを取付けた。
加えて、第２ブラケットの先端側からさらに延びた延長部でフロントフェンダの取付部を支えた。
【図面の簡単な説明】
【図１】本発明に係る自動二輪車の前半部の側面図
【図２】本発明に係る前輪懸架装置の側面図
【図３】本発明に係る前輪懸架装置の分解側面図
【図４】本発明に係る前輪懸架装置の斜視図
【図５】本発明に係る前輪懸架装置の要部を断面した正面図
【図６】本発明に係る車軸、前輪、フロントブレーキ、ブラケット及びフロントフェンダ廻りの正面断面図
【図７】本発明に係る前輪懸架装置及びフロントフェンダ取付構造の作用図（その１）
【図８】本発明に係る前輪懸架装置及びフロントフェンダ取付構造の作用図（その２）
【図９】本発明に係る前輪懸架装置及びフロントフェンダ取付構造の作用図（その３）
【符号の説明】
１…自動二輪車、２…車体フレーム、１０…ボトムリンク式前輪懸架装置、１３…フロントフォーク、１４…前輪支持アーム、３１…前輪用車軸（車軸）、３２…前輪、５０…フロントディスクブレーキ（フロントブレーキ）、５１…ブレーキディスク、５２…ブラケット、５３…第１ブラケット、５４…第２ブラケット、５４ａ…先端側、５４ｂ…延長部、５５…リンク（トルク伝達リンク）、５６…キャリパ、６２…フロントフェンダ、６２ａ…取付部。
【図１】
0004112715.tif 000002
【図２】
0004112715.tif 000003
【図３】
0004112715.tif 000004
【図４】
0004112715.tif 000005
【図５】
0004112715.tif 000006
【図６】
0004112715.tif 000007
【図７】
0004112715.tif 000008
【図８】
0004112715.tif 000009
【図９】
0004112715.tif 000010